(57)【要約】【課題】  標準白色板が汚れた場合であっても、シェーディング補正を良好に行って、品質の安定した画像を得ること。【解決手段】  搬送ローラ１９ａ〜ｆによって搬送される原稿を読み取る前に、第１読取ユニット７で第３の標準白色板１７を読み取って第２標準白色板１２の白色レベル補正をかけ、搬送ローラ１９ａ〜ｆによって搬送される原稿の読み取り動作中に、第１及び第２読取ユニット７，９で対向にある第１及び第２標準白色板１１，１２を紙間で読み取り、シェーディング補正を行う。【選択図】  図１
2006261936.tif 000002
【特許請求の範囲】
【請求項１】
原稿を搬送する原稿搬送手段と、
前記原稿搬送手段により搬送される原稿の第１面を読み取る第１の読取手段と、
前記原稿搬送手段により搬送される原稿の第２面を読み取る第２の読取手段と、
前記第１の読取手段に設けられ、前記第２の読取手段に対向する位置に設けられた第１の標準白色板と、
前記第２の読取手段に設けられ、前記第１の読取手段に対向する位置に設けられた第２の標準白色板と、
前記第１及び第２の標準白色板とは異なる位置に設けられた第３の標準白色板と、を有し、
前記原稿搬送手段により搬送される原稿を読み取る前に、前記第１の読取手段で前記第３の標準白色板を読み取って前記第２の標準白色板の白色レベル補正をかけ、前記原稿搬送手段により搬送される原稿の読み取り動作中に、前記第１及び第２の読取手段で対向にある前記第１及び第２の標準白色板を紙間で読み取り、シェーディング補正を行うことを特徴とする画像読取装置。
【請求項２】
前記第１の標準白色板は、前記原稿搬送手段により搬送される原稿と接触しない位置に設けられ、
前記第２の標準白色板は、前記原稿搬送手段により搬送される原稿と接触する位置に設けられていることを特徴とする請求項１記載の画像読取装置。
【請求項３】
前記第３の標準白色板は、原稿を載置する原稿台ガラスに設けられていることを特徴とする請求項１記載の画像読取装置。
【請求項４】
前記第１の読取手段と前記第２の読取手段の間に流し読みガラスを設け、
前記原稿搬送手段により搬送される原稿は、前記第２の読取手段と前記流し読みガラスの間を通過することを特徴とする請求項１記載の画像読取装置。
【発明の詳細な説明】
【技術分野】
【０００１】
本発明は、シート上の画像を読み取る画像読取装置に関し、特に、シェーディングの補正構成に関する。
【背景技術】
【０００２】
図４に、従来の両面画像読取装置を示す。両面画像読取装置は自動原稿送り装置１０１と画像読取装置１０２で構成され、両面読み取りを可能にした装置である。また、シート状の原稿を自動的に搬送し読み取る流し読み部１０３と、本などの原稿を読み取るための固定読み部１０４とを備えている。
【０００３】
固定読み時は画像読取装置１０２に設けられた原稿台ガラス１０５上に原稿を載置し、圧板部１０６で原稿を押さえて、画像読取装置１０２内の第１読取ユニット１０７が原稿に沿ってＣＤ方向に走査することによって読み取る。
【０００４】
流し読み時は自動原稿送り装置１０１によって原稿が流し読みガラス１０８に搬送され、その原稿の表面は、第１読取ユニット１０７を流し読みガラス１０８の下方に停止させ読み取る。
【０００５】
原稿の裏面は、自動原稿送り装置１０１側に固定的に設けられた第２読取ユニット１０９によって読み取る。
【０００６】
それぞれの読取ユニット１０７・１０９は、光源ランプ１１０ａ・ｂを有している。光源ランプ１１０ａ・ｂの照度の変化や、濃度のバラツキ等を補正するため、シェーディング補正が必要である（例えば、特許文献１参照）。この補正は、標準白色板の白色面を読取ユニットで読み取ることによって行われる。
【０００７】
特に流し読み時は光源ランプの点灯時間が長くなるため、点灯中の照度の変化が起こりやすい。そのため、自動原稿送り装置が流し読み動作を行っている最中でも、随時シェーディング補正を行う必要があるため、原稿読取部付近に標準白色板を配置している。
【０００８】
標準白色板の配置の例として、対向した２つの読取ユニット各々に標準白色板１１１・１１２を設け互いを読み取ることで、流し読み動作中に２つの読み取りユニットの補正を同時に行うように構成したものが提案されている（例えば、特許文献２参照）。
【特許文献１】特開２０００−０９２２８９号公報
【特許文献２】実開平５−７４０７２号公報
【発明の開示】
【発明が解決しようとする課題】
【０００９】
しかしながら、流し読みガラス１０８の上方にある第２読取ユニット１０９に設けられた第１の標準白色板１１１は、原稿通紙面と接しているため汚れやすい。汚れた第１の標準白色板１１１を読み取ってシェーディング補正を行うと、第１読取ユニット１０７に対して正確なシェーディング補正を行うことができず、品質の安定した画像が得られないという問題があった。
【００１０】
そこで、本発明は、標準白色板が汚れた場合であっても、シェーディング補正を良好に行って、品質の安定した画像を得ることができる画像読取装置を提供することを目的とする。
【課題を解決するための手段】
【００１１】
上記目的を達成するため、本発明に係る画像読取装置は、原稿を搬送する原稿搬送手段と、前記原稿搬送手段により搬送される原稿の第１面を読み取る第１の読取手段と、前記原稿搬送手段により搬送される原稿の第２面を読み取る第２の読取手段と、前記第１の読取手段に設けられ、前記第２の読取手段に対向する位置に設けられた第１の標準白色板と、前記第２の読取手段に設けられ、前記第１の読取手段に対向する位置に設けられた第２の標準白色板と、前記第１及び第２の標準白色板とは異なる位置に設けられた第３の標準白色板と、を有し、前記原稿搬送手段により搬送される原稿を読み取る前に、前記第１の読取手段で前記第３の標準白色板を読み取って前記第２の標準白色板の白色レベル補正をかけ、前記原稿搬送手段により搬送される原稿の読み取り動作中に、前記第１及び第２の読取手段で対向にある前記第１及び第２の標準白色板を紙間で読み取り、シェーディング補正を行うことを特徴とする。
【発明の効果】
【００１２】
本発明によれば、原稿搬送手段により搬送される原稿を読み取る前に、第１の読取手段で第３の標準白色板を読み取って第２の標準白色板の補正をかけ、原稿搬送手段により搬送される原稿の読み取り動作中に、第１及び第２の読取手段で対向にある第１及び第２の標準白色板を紙間で読み取り、シェーディング補正を行うことで、第２の標準白色板が汚れた場合であっても、画像の品質を安定させることができる。
【発明を実施するための最良の形態】
【００１３】
以下に図面を参照して、本発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１４】
図１において、１は自動原稿送り装置であり、２は画像読取装置である。図２に流し読み部の拡大図を示す。
【００１５】
５は原稿を載置する原稿台ガラスである。８は自動原稿送り装置によって搬送されてくる原稿を読み取る際に用いる流し読みガラスである。
【００１６】
７はワンボックスの第１読取ユニットで、その内部には原稿を照明する第１光源ランプ１０ａ、原稿で拡散した光を導く第１反射ミラー１３ａ、導かれてきた光を結像させる第１レンズ１４ａ、結像された光を光電変換する第１ＣＣＤセンサ１５ａ、第１信号処理基板１６ａが配設されている。
【００１７】
９はワンボックスの第２読取ユニットで、その内部には原稿を照明する第２光源ランプ１０ｂ、原稿で拡散した光を導く第２反射ミラー１３ｂ、導かれてきた光を結像させる第２レンズ１４ｂ、結像された光を光電変換する第２ＣＣＤセンサ１５ｂ、第２信号処理基板１６ａが配設されている。
【００１８】
また、第１読取ユニット７の流し読みガラス８を向いた面には、第１の標準白色板１１が設けられている。同様に、第２読取ユニット９の流し読みガラス８を向いた面には、第２の標準白色板１２が設けられている。
【００１９】
この第１読取ユニット７は画像読取装置２に取り付けられ、第２読取ユニット９は自動原稿送り装置１に取り付けられており、互いに対向する位置で配置されている。
【００２０】
次に、図３を用いてシェーディング補正動作について説明する。
【００２１】
図３は、画像読取装置２の画像処理部の全体構成を示す回路ブロック図であり、増幅回路３０、Ａ／Ｄ変換部３１、シェーディング補正回路３２、画像メモリ３３を有している。
【００２２】
第１ＣＣＤセンサ１５ａからは、原稿画像を読み取る過程で、読み取りの１ラインごとにアナログの画像信号が出力され、それらは増幅回路３０により増幅された後、Ａ／Ｄ変換器３１により８ビットのディジタル信号に変換される。そして、シェーディング補正回路３２は、画像信号に対して、それぞれ黒レベル補正と白レベル補正（シェーディング補正）を行う。その後、画像メモリ３３に書き込まれていくことになる。
【００２３】
ここでは、第１ＣＣＤセンサ１５ａで読み取った画像についてのシェーディング補正について示したが、第２ＣＣＤセンサ１５ｂで読み取った画像についても同様のシェーディング補正を行う。
【００２４】
次に、原稿台ガラス８上に載置された原稿を読み取る固定読みの場合について説明する。
【００２５】
まず第１光源ランプ１０ａを点灯させ、図示しない駆動機構により第１読取ユニット７を移動させて原稿台ガラス５面に設けた第３の標準白色板１７を読み取りシェーディング補正を行う。そして、第１読取ユニット７を原稿に沿ってＣＤ方向に走査することによって原稿に光を照射し、原稿面で拡散された光を第１反射ミラー１３ａによって第１レンズ１４ａまで導いて第１ＣＣＤセンサ１５ａに結像させ、光電変換し画像を電気信号として読み取る。
【００２６】
１８は原稿束を積載する給紙トレイである。１９ａ、１９ｂ、１９ｃ、１９ｄ、１９ｅ、及び１９ｆは原稿を一枚ずつ搬送する搬送ローラである。２０は搬送されてきた原稿が排出され積載される排紙トレイである。
【００２７】
次に、自動原稿送り装置１によって搬送されてくる原稿を読み取る流し読みの場合について説明する。
【００２８】
まず給紙トレイ１８上に原稿を積載する。読み取り開始の操作が行われると、画像読取装置２内の第１読取ユニット７が図示しない駆動機構により移動して原稿台ガラス５面に設けた第３の標準白色板１７を読み込み第２の標準白色板１２の白色レベル補正をかける。そして流し読みガラス８下方の流し読みの読み取り位置に移動する。
【００２９】
給紙トレイ１８に積載された原稿は搬送ローラ１９ａ、１９ｂ、１９ｃ、１９ｄ、１９ｅ、及び１９ｆによって自動原稿送り装置１内部を搬送される。流し読みガラス８の上を通過する原稿の表面は、第１読取ユニット７で読み取り、原稿の裏面は、自動原稿送り装置１側に固定的に設けられた第２読取ユニット９にて読み取る。その動作中、第１読取ユニット７は、対向部にある第２の標準白色板１２を紙間で読み取り、シェーディング補正を行う。また、第２読取ユニット９は、対向部にある第１の標準白色板１１を紙間で読み取り、シェーディング補正を行う。
【００３０】
ここで、第１読取ユニットの読取位置は、第２読取ユニットの読取位置よりも搬送方向下流側にあるため、第２読取ユニットが第１の標準白色板１１を読み取るタイミングを、第２読取ユニットが第１の標準白色板１１を読み取るタイミングよりも早くなるよう設定している。
【００３１】
そして読み取られた原稿は、搬送ローラ１９ｅ、１９ｆによって、排紙トレイ２０上に排出される。
【００３２】
以上のように構成することで、第２の標準白色板１２が汚れた場合であっても、第１読取ユニットで読み取った画像の品質を安定させることができる。
【００３３】
また、第１の標準白色板１１は流し読みガラスの下方に設けられているので、原稿と接触しないことから汚れはほとんど発生しない。したがって、第１及び２読取ユニットで読み取った画像の品質は、いずれも安定させることができる。
【図面の簡単な説明】
【００３４】
【図１】本発明の実施形態における、自動原稿送り装置及び画像読取装置の断面図である。
【図２】本発明の実施形態における、自動原稿送り装置及び画像読取装置の断面図を拡大した図である。
【図３】本発明の実施形態における、画像処理部の全体構成を示す回路ブロック図である。
【図４】従来例における、自動原稿送り装置及び画像読取装置の断面図である。
【符号の説明】
【００３５】
７  第１読取ユニット
９  第２読取ユニット
１１  第１の標準白色板
１２  第２の標準白色板
１７  第３の標準白色板
１９ａ〜１９ｆ  搬送ローラ
３２  シェーディング補正回路
【図１】
2006261936.tif 000003
【図２】
2006261936.tif 000004
【図３】
2006261936.tif 000005
【図４】
2006261936.tif 000006